(57)【特許請求の範囲】
【請求項１】
遊技機の遊技盤に固定される台板の前部に該遊技盤と交差する軸線回りに回動可能に支持されて遊技球が入球し難い閉位置と入球し易い開位置との間で開閉動作する回動翼片と、
直線移動可能な駆動部材を有する駆動アクチュエータと、
前記駆動部材が有する作用部と係合可能な被作用部を有し、それら被作用部と作用部との係合により該駆動部材の直線移動を前記回動翼片の回転移動に変換しつつ前記駆動アクチュエータの駆動力を該回動翼片へ伝達する伝達部材と、
前記台板から後方に延出する後部壁に取り付けられて前記駆動アクチュエータ及び前記伝達部材を収容するベース体とを備え、
前記ベース体の壁部には、前記駆動部材の動作に応じて前記回動翼片が前記閉位置と前記開位置との間で開閉動作するよう前記伝達部材を移動可能に支持する支持軸部が設けられ、
前記台板の後部壁は、前記伝達部材を前記駆動部材の動作方向に移動可能とするとともに、前記支持軸部を回転中心とする回動を規制するガイド溝を有するガイド壁を含み、
前記伝達部材には、前記支持軸部に係合して該伝達部材を前記駆動部材の動作方向に移動可能とするとともに、該支持軸部を回転中心とする回動を許容する長孔を有する軸受け部と、前記ガイド溝に係合した状態では該支持軸部を回転中心とする該伝達部材の回動を規制し、該ガイド溝から離脱した状態では該支持軸部を回転中心とする該伝達部材の回動を許容するガイド突部とが設けられ、
前記台板には前記後部壁よりも外側にて後方へ起立する起立壁が形成されるとともに、前記台板の起立壁の後端部と前記ベース体の壁部の前端部との間には、前記起立壁に保持されて、前記ガイド溝、前記ガイド突部、前記支持軸部及び前記軸受け部を外側から覆うカバー体が配置され、
前記起立壁と前記カバー体との間には、前記台板に光を照射するための発光手段を実装した発光基板が配置可能に設けられ、
前記発光基板は、前記起立壁の後端面と前記カバー体の前端面とで挟持される装着形態と、前記起立壁の後端面と前記カバー体の前端面とが前記発光基板の厚みに相当する隙間を有して対向配置される非装着形態とに変更可能であり、
前記ガイド溝、前記ガイド突部、前記支持軸部及び前記軸受け部に対する外部からの接触が前記カバー体によって阻止されることを特徴とする遊技機用可変入賞装置。
【請求項２】
前記起立壁には、予め前記発光基板の厚みに相当する隙間を有した状態で前記カバー体を保持するための保持手段が設けられている請求項１に記載の遊技機用可変入賞装置。
【請求項３】
請求項１又は２に記載の遊技機用可変入賞装置を前記遊技盤に備えることを特徴とする遊技機。
【請求項４】
請求項１又は２に記載の遊技機用可変入賞装置を前記遊技盤に備え、前記発光基板が前記装着形態である第一仕様と、前記非装着形態である第二仕様とに変更可能であることを特徴とする遊技機。
【発明の詳細な説明】
【技術分野】
【０００１】
本発明は、パチンコ機の始動入賞口等に用いられる遊技機用可変入賞装置と、その遊技機用可変入賞装置を備えるパチンコ機等の遊技機に関する。
【背景技術】
【０００２】
遊技機用可変入賞装置は、遊技球が入球し難い閉位置と入球し易い開位置との間で開閉動作する一対の回動翼片と、直線移動可能なプランジャを有する駆動アクチュエータ（例えば、ソレノイド）と、プランジャの直線移動を回動翼片の回転移動に変換しつつソレノイドの駆動力を回動翼片に伝達する伝達部材とを備えるのが一般的である。この種の遊技機用可変入賞装置として、例えば特許文献１には、パチンコ機の隙間から針金等を挿入し、この針金等で閉じた状態にある開閉羽根（回動翼片）を強制的に開かせるように外力を作用させた場合でも、メカ的なロックにより伝達部材の回動を阻止することで上記した不正行為を防止するようにしたものが記載されている。
【０００３】
具体的には、伝達部材が一対の連係アームと、両連係アームを連結する連結アームとで構成され、各連係アームが外向きに突設される回動軸を備え、連結アームが外向きに突設される案内ピンを備えている。台板の後側に取り付けられる支持部材（ベース体）の両外側壁には、各連係アームの回動軸を回動可能かつ前後方向に移動可能に支持するための軸受長孔が形成されるとともに、連結アームの案内ピンを案内するための案内溝が形成されている。この案内溝には、前方に向けて延び出す直線溝部（回動規制部）が形成されている。そして、プランジャの突出位置に対応して開閉羽根が閉位置にあるときは、各連係アームの回動軸が軸受長孔の前端に位置するとともに、連結アームの案内ピンが案内溝の直線溝部内に位置するようになっている。閉状態にある開閉羽根を強制的に開かせるような外力が作用した場合には、案内ピンが直線溝部により上方への移動を阻止されることで、伝達部材の回動が規制（ロック）されて開閉羽根の閉状態が保持される。このため、開閉羽根に対する不正行為を防止することが可能である。
【０００４】
しかしながら、特許文献１に記載された遊技機用可変入賞装置では、回動軸を移動させるための軸受長孔、及び案内ピンを案内するための案内溝が支持部材の両外側壁を貫通した貫通孔の形態で形成されているので、軸受長孔内の回動軸、及び案内溝内の案内ピンに外側壁を通して直接触れることができる。このため、外側壁の外部から回動軸あるいは案内ピンに対して直接後方へ移動させる外力を作用させると、伝達部材のロックを容易に解除できてしまうことから、伝達部材に対する不正行為を防止する構成としては未だ十分とは言えなかった。
【０００５】
また、特許文献２には、左右のレバー（伝達部材）に対する不正行為を防止するために、レバーの下方を覆う裏カバーを設けることが記載されている。特許文献２によれば、裏カバーによってレバーに対する不正行為を防止することはできても、左右の開閉体（回動翼片）に対する不正行為を防止する構成としては不十分であった。
【先行技術文献】
【特許文献】
【０００６】
【特許文献１】特開２００８−２７２１２１号公報
【特許文献２】特開２００８−６７７９２号公報
【発明の概要】
【発明が解決しようとする課題】
【０００７】
本発明の課題は、回動翼片に対する不正行為を防止する構成と伝達部材に対する不正行為を防止する構成とをコンパクトに組み込むことのできる遊技機用可変入賞装置と、その可変入賞装置を備えた遊技機を提供することにある。
【課題を解決するための手段及び発明の効果】
【０００８】
上記課題を解決するために本発明の遊技機用可変入賞装置は、
遊技機の遊技盤に固定される台板の前部に該遊技盤と交差する軸線回りに回動可能に支持されて遊技球が入球し難い閉位置と入球し易い開位置との間で開閉動作する回動翼片と、
直線移動可能な駆動部材を有する駆動アクチュエータと、
前記駆動部材が有する作用部と係合可能な被作用部を有し、それら被作用部と作用部との係合により該駆動部材の直線移動を前記回動翼片の回転移動に変換しつつ前記駆動アクチュエータの駆動力を該回動翼片へ伝達する伝達部材と、
前記台板から後方に延出する後部壁に取り付けられて前記駆動アクチュエータ及び前記伝達部材を収容するベース体とを備え、
前記ベース体の壁部には、前記駆動部材の動作に応じて前記回動翼片が前記閉位置と前記開位置との間で開閉動作するよう前記伝達部材を移動可能に支持する支持軸部が設けられ、
前記台板の後部壁は、前記伝達部材を前記駆動部材の動作方向に移動可能とするとともに、前記支持軸部を回転中心とする回動を規制するガイド溝を有するガイド壁を含み、
前記伝達部材には、前記支持軸部に係合して該伝達部材を前記駆動部材の動作方向に移動可能とするとともに、該支持軸部を回転中心とする回動を許容する長孔を有する軸受け部と、前記ガイド溝に係合した状態では該支持軸部を回転中心とする該伝達部材の回動を規制し、該ガイド溝から離脱した状態では該支持軸部を回転中心とする該伝達部材の回動を許容するガイド突部とが設けられ、
前記台板には前記後部壁よりも外側にて後方へ起立する起立壁が形成されるとともに、前記台板の起立壁の後端部と前記ベース体の壁部の前端部との間には、前記起立壁に保持されて、前記ガイド溝、前記ガイド突部、前記支持軸部及び前記軸受け部を外側から覆うカバー体が配置され、
前記起立壁と前記カバー体との間には、前記台板に光を照射するための発光手段を実装した発光基板が配置可能に設けられ、
前記発光基板は、前記起立壁の後端面と前記カバー体の前端面とで挟持される装着形態と、前記起立壁の後端面と前記カバー体の前端面とが前記発光基板の厚みに相当する隙間を有して対向配置される非装着形態とに変更可能であり、
前記ガイド溝、前記ガイド突部、前記支持軸部及び前記軸受け部に対する外部からの接触が前記カバー体によって阻止されることを特徴とする。
【０００９】
この遊技機用可変入賞装置では、ベース体の壁部に伝達部材を移動可能に支持する支持軸部が設けられ、伝達部材にその支持軸部と係合する長孔を有する軸受け部が設けられている。また、台板に伝達部材の回動を規制するガイド溝を有するガイド壁が設けられ、伝達部材にそのガイド溝と係合可能なガイド突部が設けられている。よって、台板のガイド壁に形成されたガイド溝と伝達部材に設けられたガイド突部とが係合することによって、伝達部材の回動が規制されるので、シンプルな構成によって回動翼片に対する不正行為を防止できる。すなわち、従来の遊技機用可変入賞装置とは異なり、ベース体の壁部に伝達部材の回動軸を移動させるための貫通した軸受長孔や、伝達部材の案内ピンを案内するための貫通した案内溝を形成しなくて済む。
【００１０】
そして、ガイド溝、ガイド突部、支持軸部及び軸受け部に対する外部からの接触はカバー体によって阻止される。よって、カバー体を設けるだけのシンプルな構成によって、伝達部材に対する不正行為を防止できる。このようにして、回動翼片に対する不正行為を防止する構成と伝達部材に対する不正行為を防止する構成とをコンパクトに組み込むことができる。
【００１１】
なお、本発明の「駆動アクチュエータ」として、ソレノイド、リニアステッピングモータ等を用いることができる。その場合の「駆動部材」は、ソレノイドにあってはプランジャ、リニアステッピングモータにあっては駆動ねじである。また、本発明の「回動翼片」は、一対の平行な第１軸線周りに回動可能な一対の回動翼片と、単一の第１軸線周りに回動可能な単一の回動翼片とを含む。
【００１２】
さらに、カバー体を台板の起立壁の後端面とベース体の壁部の前端面とで挟持する場合には、台板の後部壁とベース体の壁部とをビス等の締結部材によって固定することによって、カバー体とベース体の壁部との固定手段を要しなくなる。
【００１４】
また、カバー体は、上記した不正行為を防止する機能に加えて、遊技球との接触や塵埃の付着等によって短絡しないように発光基板を覆う機能を有することになり、可変入賞装置の付加価値を高めることができる。具体的には、台板、ベース体又はカバー体の形状や構造を変えなくても、発光基板を装着して台板を光らせる第一仕様（デラックスタイプ）と、発光基板を取外した第二仕様（ノーマルタイプ）とを容易に設定でき、上記した不正行為を防止する機能を低下させることなく、汎用性を高めることができる。なお、「発光手段」としてＬＥＤ、ランプ等を用いることができる。
【００１５】
起立壁には、予め発光基板の厚みに相当する隙間を有した状態でカバー体を保持するための保持手段を設けることができる。
【００１６】
これによって、発光基板の装着形態（第一仕様）と非装着形態（第二仕様）とに変更しても全体の大きさが変化せず、仕様変更のための特殊な構造を要しないので、可変入賞装置を小型コンパクトにすることができ、遊技機に対する取り付け構造も簡略化することができる。
【００１７】
起立壁に設ける保持手段として、弾性変形によってカバー体を係止する係止爪と、カバー体との間隔を保持するために発光基板の厚み分の段差を有して２段階の高さで突出する突出壁とを有する場合がある。このような係止爪と突出壁とによって、保持手段を安価かつ簡便に設けることができる。
【００１８】
そこで、上記課題を解決するために、本発明の遊技機は、
以上のような遊技機用可変入賞装置を前記遊技盤に備えたことを特徴とする。
【００１９】
また、上記課題を解決するために、本発明の遊技機は、
以上のような遊技機用可変入賞装置を前記遊技盤に備え、前記発光基板が前記装着形態である第一仕様と、前記非装着形態である第二仕様とに変更可能であることを特徴とする。
【００２０】
このように、回動翼片に対する不正行為を防止する構成と伝達部材に対する不正行為を防止する構成とをコンパクトに組み込んで、全体構造の小型化が図られた可変入賞装置を搭載することにより、多彩な盤面構成や遊技内容を有する遊技機を容易に実現することができる。
【００２１】
なお、本発明の遊技機には、パチンコ機、アレパチ機等の弾球遊技機が含まれる。
【図面の簡単な説明】
【００２２】
【図１】本発明に係る遊技機用可変入賞装置を備えたパチンコ機を例示する正面図。
【図２】本発明に係る遊技機用可変入賞装置の一例を、発光基板装着仕様であって閉鎖状態にあるときで示す全体斜視図。
【図３】図２の分解斜視図。
【図４】図３を反対側から見た分解斜視図。
【図５】図２の正面図及びＡ−Ａ断面図。
【図６】図２の側面図及びＢ−Ｂ断面図。
【図７】図２の遊技機用可変入賞装置を斜め下方から見た全体斜視図。
【図８】閉鎖状態における主要部の斜視図及び側面図。
【図９】中間位置における主要部の斜視図及び側面図。
【図１０】開放状態における主要部の斜視図及び側面図。
【図１１】発光基板非装着仕様に変更した場合の側面図。
【図１２】図１１の遊技機用可変入賞装置を斜め下方から見た全体斜視図。
【図１３】図１１の分解斜視図。
【発明を実施するための形態】
【００２３】
（実施例）
以下、本発明の実施の形態について図面に示す実施例を参照して説明する。
【００２４】
図１に示すように、パチンコ機１（遊技機）における遊技盤２の盤面２ａには、円形の遊技領域が形成されており、この遊技領域は外周縁に沿って形成される円弧状のレール２ｂによって区画されている。盤面２ａの中央には液晶表示部３が搭載され、液晶表示部３の下方（盤面２ａの中央下部）には入賞扉４ａによって形成される大入賞口４（アタッカー）が配置されている。液晶表示部３と大入賞口４との間には、始動入賞口である電動チューリップ（電チュー）と称される遊技機用可変入賞装置（以下、入賞装置と略称する）５が配置されている。
【００２５】
なお、本明細書において、上下とは遊技盤２の盤面２ａに沿う態様で遊技球が流下する方向（鉛直方向）を意味する。また、左右とは遊技盤２の盤面２ａに沿う態様で上下と直交する方向（水平方向）を意味する。また、前後とは遊技盤の盤面２ａに直交する方向（水平方向）を意味し、盤面２ａの前側（遊技者側）が前方側であり、盤面２ａの後側（奥側）が後方側である。
【００２６】
図２〜図４に示すように、入賞装置５は、前方側ユニットＦＵと、この前方側ユニットＦＵに一体的に組み付けられる後方側ユニットＲＵとで構成されている。前方側ユニットＦＵは、台板１０、前側装飾部材２０及び一対の回動翼片３０，３０を備えており、後方側ユニットＲＵは、ソレノイド４０、伝達部材５０及びベース体６０を備えている。そして、台板１０とベース体６０とにより近接スイッチ７０が前後に挟み込まれて保持されるようになっている。また、発光基板９０を挟み込む形で、台板１０にカバー体８０が保持されている。
【００２７】
台板１０は、その前部にて遊技盤２の盤面２ａに取り付けられ（図１参照）、その後部にてベース体６０に取り付けられる。台板１０の前部には、上下一対の上部入賞口１１と下部入賞口１２とが形成されている。上部入賞口１１は、常に開放状態にある始動入賞口である。下部入賞口１２は、前側装飾部材２０及び各回動翼片３０を含んで構成され、各回動翼片３０の閉位置に対応して閉鎖状態となり、開位置に対応して開放状態となる始動入賞口である。
【００２８】
台板１０の後部には、図３に示すように、天井壁１３、底壁１４及び左右一対のガイド壁１７，１７が一体形成されて後部壁を構成している。天井壁１３と各ガイド壁１７との連結部位には、複数（例えば２本）のビス８１によって台板１０をベース体６０に取り付けるための取付部１６が形成されている。
【００２９】
天井壁１３の上面には、上部入賞口１１に入賞した遊技球をベース体６０の上部へ誘導するための樋１３ａが形成されており、底壁１４の上面には、下部入賞口１２に入賞して通過孔１０ａに導入された遊技球をベース体６０の内部へ誘導するための樋１４ａが形成されている。なお、入賞した遊技球を円滑に後方へ誘導するために、上部入賞口１１と天井壁１３には、誘導リブ１１ａ，１３ｂがそれぞれ一体形成されている。
【００３０】
底壁１４には、後述するベース体６０の内側壁６５とともにその内側壁６５に組み込まれた近接スイッチ７０の導入を許容する矩形状の切欠孔１４ｂが形成されている。切欠孔１４ｂ内に導入された近接スイッチ７０は、底壁１４の後端面（切欠孔１４ｂの前端面）に当接することで前端が位置決めされる。
【００３１】
ガイド壁１７の上端は天井壁１３に連結され、下端は底壁１４に連結され、前端は台板１０の前部に連結されている。このガイド壁１７は、補強部材としての機能を果たすとともに、その一部が所定の形状に切り欠かれて後述する各アーム部５１のガイド突部５７をガイドする機能を果たしている。後部壁としての天井壁１３、底壁１４、ガイド壁１７，１７よりも外側の複数位置（例えば底部と左右の３ヶ所）において、台板１０から後方へ向かう起立壁１８がリブ状に起立形成されている。起立壁１８はカバー体８０及び発光基板９０を保持する機能を有しており、これによって、起立壁１８とベース体６０との間にカバー体８０が配置される。なお、起立壁１８は、周方向において後部壁（天井壁１３、底壁１４、ガイド壁１７，１７）と連続して形成される場合と、不連続に形成される場合とがある。
【００３２】
前側装飾部材２０は、後述する各回動翼片３０を閉位置に保持するための傾斜部２１と、開位置に保持するためのストッパリブ２２とを備えており、その後部にて複数（例えば２本）のビス８２により台板１０の前部に取り付けられている。なお、入賞した遊技球を円滑に後方へ誘導するために、前側装飾部材２０には、誘導リブ２３が一体形成されている（図４、図５（ｂ）参照）。
【００３３】
各回動翼片３０は、台板１０と前側装飾部材２０とに渡って前後に架設された支持ピン３１により軸線Ｏ１（第１軸線）回りに回動可能に支持されている。各回動翼片３０は、支持ピン３１よりも内側の部位にて台板１０の通過孔１０ａを通して台板１０の後方へ延び出す係合突部３２を備えるとともに、下側の部位にて前側装飾部材２０の傾斜部２１に当接することで各回動翼片３０を閉位置に保持し、ストッパリブ２２に当接することで各回動翼片３０を開位置に保持する位置決め片３３を備えている。
【００３４】
各回動翼片３０の係合突部３２は、伝達部材５０から作用を受ける回動翼片３０の被作用部としての機能を果たしている。すなわち、伝達部材５０から係合突部３２に対して下方への力が作用した場合には各回動翼片３０が軸線Ｏ１回りに互いに接近する方向（内方）に付勢され（図５（ｂ）参照）、上方への力が作用した場合には各回動翼片３０が軸線Ｏ１回りに互いに離間する方向（外方）に付勢される（図１０（ｂ）参照）。
【００３５】
ソレノイド４０（駆動アクチュエータ）は、図４に示すように、コイル部４１、プランジャ４２（駆動部材）、及びコイル部４１の左右前後を囲う金属製のケース４３を含んで構成され、コイル部４１への通電により発生する電磁力によってプランジャ４２が前後に移動する。
【００３６】
具体的には、プランジャ４２の前端部には、前後一対の円板状のフランジ部４２ａ，４２ａ（プランジャの作用部）が設けられ、後方側のフランジ部４２ａとケース４３との間には圧縮コイルばね４４が介装されており、プランジャ４２が圧縮コイルばね４４を圧縮しつつコイル部４１内へ引き込まれるようになっている。すなわち、プランジャ４２は、コイル部４１の通電解除状態では圧縮コイルばね４４の付勢力により前方へ押し出された原位置（前進位置、突出位置）にあり（図８（ｂ）参照）、コイル部４１の通電状態では圧縮コイルばね４４の付勢力に抗してコイル部４１内へ引き込まれた作用位置（後退位置）に移動する（図１０（ｂ）参照）。
【００３７】
伝達部材５０は、図３〜図６に示すように、一対のアーム部５１，５１が架橋部５２により一体形成されたものである。各アーム部５１における外側面の後部下方位置には、後述する内側壁６５の支持軸部６５ｃに係合して各アーム部５１をプランジャ４２の動作方向（前後方向）に移動可能とするとともに、各アーム部５１を支持軸部６５ｃを回転中心として回動可能とする長孔５３ａを有する軸受け部５３が後向きに延設されている。各アーム部５１の後部には、軸受け部５３と重なり合う部分の一部が切り取られて凹所５４が形成されており、各アーム部５１の後方への移動時に内側壁６５に接触しないように（内側壁６５を回避するように）なっている。
【００３８】
各アーム部５１の前端には、回動翼片３０の係合突部３２と係合可能な二股状の作用部５５が前向きに突設されている。各アーム部５１における内側面の後部上方位置には、プランジャ４２のフランジ部４２ａ，４２ａ間に形成された溝部４２ｂに係合する係合突部５６（被作用部）が内向きに突設されている。
【００３９】
各アーム部５１における外側面の中央部上方位置には、台板１０におけるガイド壁１７のガイド部１７ａによりガイドされる丸軸状のガイド突部５７が外向きに突設されている。
【００４０】
ベース体６０は、図３に示すように、ソレノイド４０のケース４３を収容する上側の収容部６１と、台板１０と協働して伝達部材５０及び近接スイッチ７０を収容する下側の収容部６２とを備えている。ソレノイド４０は、ベース体６０の後方から収容部６１に組み込まれ、複数（例えば２本）のビス８３によって収容部６１に固定配置される。
【００４１】
収容部６２は、左右一対の外側壁６３，６３、中間壁６４及び天井壁６６を一体に備えている。中間壁６４は、収容部６１と収容部６２とを前後で区画するように左右に延設され、各外側壁６３の後端を連結している。各外側壁６３から所定距離隔てた内側位置には、一対の内側壁６５，６５が一体形成されている。各内側壁６５は、中間壁６４の前後及び下方に渡って延び出すように中間壁６４に連結されている。
【００４２】
各内側壁６５の下段部の内側には、近接スイッチ７０を前後に嵌め入れるための嵌入溝６５ａが形成されている。各内側壁６５の下段部は、支持底壁６７によって互いに連結されている。支持底壁６７は、近接スイッチ７０を載置するとともに補強部材としての機能を果たすものであり、その前部には近接スイッチ７０を通過した遊技球を下方へ排出するための切欠孔６７ａが形成されている（図５（ｂ）参照）。
【００４３】
各内側壁６５の上段部の外側には、各アーム部５１における軸受け部５３の長孔５３ａと係合する丸軸状の支持軸部６５ｃが外向きに突設されている。各支持軸部６５ｃは、軸線Ｏ１と直交する軸線Ｏ２（第２軸線）方向に突出している。各アーム部５１が軸受け部５３の長孔５３ａによって各内側壁６５の支持軸部６５ｃに取り付けられた状態では、各アーム部５１の内側面が各内側壁６５の内側面とほぼ同一鉛直面上に位置するか、あるいは各アーム部５１の内側面が各内側壁６５の内側面よりも極僅かだけ外方に位置するように設定されている。
【００４４】
これにより、下部入賞口１２から樋１４ａを通ってベース体６０の内部へ誘導された遊技球は、各内側壁６５の上段部の内側面に接触して支持底壁６７の切欠孔６７ａへと誘導されることはあっても、各アーム部５１にはほとんど接触しないようになっている。なお、中間壁６４の前面には、遊技球を支持底壁６７の切欠孔６７ａへ誘導するための誘導リブ６４ａが形成されている（図５（ｂ）参照）。
【００４５】
天井壁６６の前部左右位置には、台板１０の取付部１６と嵌合してビス８１（締結部材）で固定される取付部６６ｃが形成されている（図４参照）。天井壁６６の上面（外側面）は、例えば右方へ向かうに従って高さが連続的に低くなる傾斜面状に形成されており、台板１０の樋１３ａからの遊技球をベース体６０の外側の所定位置へ誘導する誘導路として機能する。なお、天井壁６６には遊技球の落下を阻止する落下阻止壁６６ａが設けられ、落下阻止壁６６ａには遊技球を例えば右方へ向けて誘導する誘導リブ６６ｂが設けられている。
【００４６】
上述した台板１０における各ガイド壁１７のガイド部１７ａは、図８（ｂ）に示すように、所定の曲率の円弧に沿って前方へ向かうに従って高さ位置が低くなるように傾斜するガイド面１７ａ１と、そのガイド面１７ａ１の前端から前方に向けて延び出す矩形状のガイド溝１７ａ２とを備えている。ガイド溝１７ａ２の溝幅は、各アーム部５１のガイド突部５７の直径に比べて僅かだけ大きい長さに設定されている。ガイド面１７ａ１は平面状の横断面を有している。
【００４７】
図７に示すように、カバー体８０及び発光基板９０は、台板１０の起立壁１８の後端面とベース体６０の中間壁６４の前端面とで挟持され、台板の取付部１６とベース体６０の取付部６６ｃとがビス８１止め（図３，図４参照）される。これによって、上記したガイド溝１７ａ２、ガイド突部５７、支持軸部６５ｃ及び軸受け部５３は、カバー体８０によって外側から覆われるので（図６（ｂ）参照）、外部からの接触が阻止される。また、起立壁１８は台板１０の底部と左右の計３ヶ所に設けられ、起立壁１８の後端面とカバー体８０の前端面との間には発光基板９０が配置可能に設けられ、この発光基板９０には、台板１０に光を照射するための複数（例えば５個）のＬＥＤ９１（発光手段）が実装されている。
【００４８】
具体的には、底部の起立壁１８には、弾性変形によってカバー体８０を係止する板状の係止爪１８ａと、その係止爪１８ａの両側において、カバー体８０との間隔を保持するために発光基板９０の厚みＴ分の段差を有し、異なる高さで板状に突出する第１及び第２突出壁１８ｂ，１８ｃとが設けられている。係止爪１８ａは、弾性変形しつつ発光基板９０の切欠部９０ａとカバー体８０の切欠部８０ａとを通過し、その後の弾性復帰により、カバー体８０の切欠部８０ａに形成された係止部８０ａ１に掛け止められる。このとき、高い方の第１突出壁１８ｂの後端面はカバー体８０の前端面に当接し、低い方の第２突出壁１８ｃの後端面は発光基板９０の前端面に当接する。
【００４９】
左右の起立壁１８には、カバー体８０との間隔を保持するために発光基板９０の厚みＴ分の段差を有し、異なる高さで突出する第１及び第２突出壁１８ｂ，１８ｃがそれぞれ設けられている。高い方の第１突出壁１８ｂは、円筒状に突出して発光基板９０の貫通孔９０ｂを貫通し、その後端面はカバー体８０の前端面に当接する。なお、第１突出壁１８ｂの後端面には、第１突出壁１８ｂと同心状で第１突出壁１８ｂより小径をなす円柱状の頭部１８ｂ１が突出形成され、頭部１８ｂ１は、カバー体８０に形成された挿入孔８０ｂに挿入される。一方、低い方の第２突出壁１８ｃは板状に突出し、その後端面は発光基板９０の前端面に当接する。
【００５０】
各起立壁１８には、予め発光基板９０の厚みＴ（図６（ａ）参照）に相当する隙間Ｓ（図１１参照）を有した状態でカバー体８０を保持することができる。したがって、発光基板９０は、第２突出壁１８ｃの後端面とカバー体８０の前端面とで挟持される装着形態（図６（ａ）参照；第一仕様の入賞装置５）と、第２突出壁１８ｃの後端面とカバー体８０の前端面とが発光基板９０の厚みＴに相当する隙間Ｓを有して対向配置される非装着形態（図１１〜図１３参照；第二仕様の入賞装置５’）とに変更可能である。なお、装着形態（第一仕様）では、発光基板９０及びカバー体８０が第２突出壁１８ｃの後端面とカバー体８０の前端面とで挟持され、非装着形態（第二仕様）では、カバー体８０が第１突出壁１８ｂの後端面とカバー体８０の前端面とで挟持される。
【００５１】
次に、図８〜図１０を用いて、上記のように構成された入賞装置５の動作について説明する。なお、図８（ｂ）、図９（ｂ）及び図１０（ｂ）では、前側装飾部材２０、ソレノイド４０の圧縮コイルばね４４、カバー体８０、発光基板９０等を省略してある。
【００５２】
ソレノイド４０のコイル部４１が通電解除状態に維持されているときは、図８（ａ）に示すように、各回動翼片３０が閉位置にある。この状態では、図８（ｂ）に示すように、プランジャ４２が作用位置にあり、各アーム部５１において軸受け部５３の長孔５３ａの後端面が支持軸部６５ｃに当接するとともに、ガイド突部５７がガイド部１７ａのガイド溝１７ａ２に係合している。
【００５３】
コイル部４１が通電状態になると、図８（ｂ）に示す原位置にあるプランジャ４２が図９（ｂ）に示す中間位置に向けて移動する。具体的には、プランジャ４２の後方への移動に伴って、各アーム部５１は姿勢をそのままとしつつ、すなわち各回動翼片３０を閉位置に保持した状態で軸受け部５３の長孔５３ａの前端面が支持軸部６５ｃに当接するまで後方へ直線移動する。この状態になると、ガイド突部５７がガイド部１７ａのガイド溝１７ａ２から離脱するようになる。
【００５４】
図９（ｂ）に示す中間位置に達したプランジャ４２が図１０（ｂ）に示す作用位置に向けて移動するのに伴って、各アーム部５１は支持軸部６５ｃを回転中心として軸線Ｏ２回りに上方へ回動する。このとき、各アーム部５１の作用部５５が回動翼片３０の係合突部３２を押し上げ、各回動翼片３０を軸線Ｏ１回りに互いに離間する方向に回動させる。
【００５５】
プランジャ４２が図１０（ｂ）に示す作用位置に達すると、各回動翼片３０は自重によりさらに軸線Ｏ１回りに極僅かな量だけ回動し、位置決め片３３が前側装飾部材２０のストッパリブ２２（図４参照）に当接することで、図１０（ａ）に示す開位置に保持される。
【００５６】
一方、通電状態にあるコイル部４１が通電解除状態になると、圧縮コイルばね４４の付勢力を受けて、図１０（ｂ）に示す作用位置にあるプランジャ４２が図９（ｂ）に示す中間位置に向けて移動する。具体的には、まずプランジャ４２の前方への移動に伴って、各アーム部５１は支持軸部６５ｃを回転中心として軸線Ｏ２回りに下方へ回動し、軸受け部５３の長孔５３ａがプランジャ４２の動作方向（前後方向）とほぼ平行になるまで回動する。各アーム部５１が下方へ回動動作するとき、作用部５５が回動翼片３０の係合突部３２を押し下げ、各回動翼片３０を軸線Ｏ１回りに互いに接近する方向に回動させる。また、ガイド突部５７がガイド部１７のガイド面１７ａ１により下方へ誘導される。プランジャ４２が図９（ｂ）に示す中間位置に達すると、各回動翼片３０も閉位置に達するようになる。
【００５７】
次に、プランジャ４２が図９（ｂ）に示す中間位置から図８（ｂ）に示す原位置に向けて移動する。この場合、各アーム部５１は姿勢をそのままとしつつ、軸受け部５３の長孔５３ａの後端面が支持軸部６５ｃに当接するまで前方へ直線移動する。各アーム部５１が前方へ移動するとき、ガイド突部５７がガイド部１７ａのガイド溝１７ａ２に係合して前方へ誘導される。軸受け部５３の長孔５３ａの後端面が支持軸部６５ｃに当接すると、ガイド突部５７がガイド溝１７ａ２内に位置するようになる。
【００５８】
プランジャ４２が図８（ｂ）に示す原位置に移動して各回動翼片３０が閉位置に達した状態で、不正行為により各回動翼片３０を強制的に開位置へ動作させようとする外力が作用した場合には、ガイド突部５７がガイド溝１７ａ２により上方への移動を阻止されることで、各アーム部５１が支持軸部６５ｃを回転中心として軸線Ｏ２回りに上方へ回動することが阻止（ロック）される。これにより、各回動翼片３０の閉状態が保持されるので、不正行為を防止することができる。
【００５９】
このように、この実施例では、ベース体６０の各内側壁６５に各アーム部５１を移動可能に支持する支持軸部６５ｃが設けられ、各アーム部５１に支持軸部６５ｃと係合する長孔５３ａを有する軸受け部５３が設けられている。また、台板１０のガイド壁１７に各アーム部５１のガイド突部５７と係合可能なガイド溝１７ａ２が形成されている。そして、ガイド溝１７ａ２、ガイド突部５７、支持軸部６５ｃ及び軸受け部５３は、カバー体８０によって外側から覆われるので、外部からの接触が阻止される。よって、カバー体８０を設けるだけのシンプルな構成によって、伝達部材５０に対する不正行為を防止できる。このようにして、回動翼片３０に対する不正行為を防止する構成と伝達部材５０に対する不正行為を防止する構成とをコンパクトに組み込むことができる。
【００６０】
また、台板１０、ベース体６０又はカバー体８０の形状や構造を変えなくても、発光基板９０を装着して台板１０を光らせる第一仕様（デラックスタイプ）と、発光基板９０を取外した第二仕様（ノーマルタイプ）とを容易に設定でき、上記した不正行為を防止する機能を低下させることなく、汎用性を高めることができる。
【００６１】
しかも、発光基板９０の装着形態（第一仕様）の入賞装置５と非装着形態（第二仕様）の入賞装置５’とに変更しても全体の大きさが変化せず、仕様変更のための特殊な構造を要しないので、入賞装置５，５’を小型コンパクトにすることができ、パチンコ機１に対する取り付け構造も簡略化することができる。
【００６２】
また、この実施例では、各支持軸部６５ｃが各内側壁６５の外側面にて外向きに突設されており、ベース体６０の内部に導入された遊技球が両内側壁６５，６５の間を通過するように構成されている。これにより、遊技球が各内側壁６５に衝撃を与えた場合でも、各支持軸部６５ｃ及び各アーム部５１の軸受け部５３に対しては遊技球の衝撃による負荷が作用しなくなって、各アーム部５１の円滑な移動を確保することができる。
【００６３】
また、この実施例では、両内側壁６５，６５に、ベース体６０の内部に導入された遊技球の通過を検出する近接スイッチ７０が取り付けられる。これにより、各内側壁６５が不正行為防止機能、各アーム部５１の移動確保機能を有することに加えて、近接スイッチ７０の収容機能をも有するようになり、近接スイッチ７０を収容するための単独の部材を設けなくて済むので、ベース体６０をコンパクトに形成することができる。
【００６４】
また、上記実施例では、以上に説明した入賞装置５が遊技盤２に固定配置されている。これにより、不正行為を有効に防止でき、また遊技盤２の他の役物の配置スペースを良好に確保することができる。
【００６５】
なお、本実施例では、駆動アクチュエータとしてソレノイド４０を用いているが、その他リニアステッピングモータ等を採用できる。また、パチンコ機１の他に、アレパチ機等の弾球遊技機にも適用できる。
【符号の説明】
【００６６】
１  遊技機
２  遊技盤
２ａ  盤面
５，５’  遊技機用可変入賞装置（入賞装置）
１０  台板
１３  天井壁（後部壁）
１４  底壁（後部壁）
１７  ガイド壁（後部壁）
１７ａ  ガイド部
１７ａ１  ガイド面
１７ａ２  ガイド溝
１８  起立壁
１８ａ  係止爪（保持手段）
１８ｂ  第１突出壁（保持手段）
１８ｂ１  頭部（保持手段）
１８ｃ  第２突出壁（保持手段）
２０  前側装飾部材
３０  回動翼片
３１  支持ピン
３２  係合突部
４０  ソレノイド（駆動アクチュエータ）
４２  プランジャ（駆動部材）
４２ａ  フランジ部（プランジャの作用部）
５０  伝達部材
５１  アーム部
５２  架橋部
５３  軸受け部
５３ａ  長孔
５４  凹所
５５  アーム部の作用部
５６  係合突部（被作用部）
５７  ガイド突部
６０  ベース体
６１，６２  収容部
６３  外側壁（壁部）
６４  中間壁（壁部）
６５  内側壁（壁部）
６５ａ  嵌入溝
６５ｃ  支持軸部
６７  支持底壁（壁部）
６７ａ  切欠孔
７０  近接スイッチ
８０  カバー体
８０ａ  切欠部
８０ａ１  係止部
８０ｂ  挿入孔
９０  発光基板
９０ａ  切欠部
９０ｂ  貫通孔
９１  ＬＥＤ（発光手段）
Ｏ１  軸線（第１軸線）
Ｏ２  軸線（第２軸線）
Ｓ  隙間
Ｔ  厚み
【図１】
0005658020.tif 000002
【図２】
0005658020.tif 000003
【図３】
0005658020.tif 000004
【図４】
0005658020.tif 000005
【図５】
0005658020.tif 000006
【図６】
0005658020.tif 000007
【図７】
0005658020.tif 000008
【図８】
0005658020.tif 000009
【図９】
0005658020.tif 000010
【図１０】
0005658020.tif 000011
【図１１】
0005658020.tif 000012
【図１２】
0005658020.tif 000013
【図１３】
0005658020.tif 000014